(57)【要約】【課題】地上設置形変圧器において、安価な手段により、内部短絡時の内部機器類の破片の飛散防止及びアークによる変圧器本体部の損傷防止を可能にする。【解決手段】地上設置形変圧器装置において、保護カバーの内側の、内部短絡時に形成される放圧経路上に、複数の孔が形成された金属部材を設ける。これによって、内部短絡時における放圧に伴う内部機器類の破片を補足し保護カバー外への飛散を阻止する。また、保護カバーの内側において１次側高圧機器部と変圧器本体部との間に、接地した金属部材を設ける。これによって、内部短絡時におけるアークを消弧し、該アークが変圧器本体部に及ばないようにする。【選択図】　図１
2004103722.tif 000002
【特許請求の範囲】
【請求項１】
保護カバー内に１次側高圧機器部を有する地上設置形変圧器装置において、
上記保護カバーの内側の、内部短絡時に形成される放圧経路上に、複数の孔が形成された金属部材を該放圧経路に交差させて備え、
上記金属部材により内部短絡時の放圧に伴う内部機器類破片を捕捉し、保護カバー外部への飛散を阻止可能にした構成を特徴とする地上設置形変圧器装置。
【請求項２】
保護カバー内に変圧器本体部と１次側高圧機器部を有する地上設置形変圧器装置において、
上記１次側高圧機器部と上記変圧器本体部との間に、接地された金属部材を備え、
上記金属部材により、内部短絡時のアークを消弧可能とした構成を特徴とする地上設置形変圧器装置。
【請求項３】
保護カバー内に変圧器本体部と１次側高圧機器部を有する地上設置形変圧器装置において、
上記保護カバーの内側の、内部短絡時に形成される放圧経路上の第１の領域と、上記１次側高圧機器部と上記変圧器本体部との間の第２の領域とに、少なくとも上記第１の領域に対応する部分に複数の孔が形成されかつ接地された金属部材を備え、
上記金属部材により、内部短絡時の放圧に伴う内部機器類破片を捕捉して保護カバー外部への飛散を阻止するとともに、アークの消弧も可能にした構成を特徴とする地上設置形変圧器装置。
【請求項４】
上記金属部材は金網状の構成を有する請求項１から３のいずれかに記載の地上設置形変圧器装置。
【発明の詳細な説明】
【０００１】
【発明の属する技術分野】
本発明は、地上設置形変圧器装置の構成に関する。
【０００２】
【従来の技術】
図４〜図６は、従来の地上設置形変圧器装置の内部構成例図である。図４は上面図、図５は、図４の構成のＡ−Ａ’断面図、図６は、図４の構成のＢ−Ｂ’断面図である。図４、図５及び図６において、１は保護カバーとしての外箱、２は開閉用の外箱の扉、３は変圧器の１次側高圧開閉スイッチ等が収納された１次側高圧機器部、４は変圧器の２次側配線端子等が収納された２次側低圧機器部、５は鉄心と励磁用コイルを備えて成る変圧器本体部、６は換気用の換気窓、７は変圧器本体部５と１次側高圧機器部３及び２次側低圧機器部４との間を仕切る仕切板、８ａは変圧器本体部５と１次側高圧機器部３との間に設けたゴム製の仕切板（ゴム製仕切板）、８ｂは、ゴム製仕切板８ａが変形状態のときのゴム製仕切板、９は外箱１における強度的に弱い箇所、１０は、変圧本体部５と高圧機器部３との間に設けられ、内部短絡時のアークを遮蔽する絶縁性遮蔽板、１１ａ、１１ｂは内部短絡によって発生する異常高圧を放圧するための放圧経路、１３は少なくとも変圧器本体部５、１次側高圧機器部３、２次側低圧機器部４及び外箱１を支持するベース部材である。なお、９のような構造は、特開平８−４５７４６号公報（特許文献１）や特開平１１−２５１１５５号公報（特許文献２）に示されている。仕切板７やゴム製仕切板８ａは、１次側高圧機器部３や２次側低圧機器部４に対して換気窓６からの雨水や塵埃が侵入するのを防ぐ。変圧器装置が歩道に設置される場合、２次側低圧機器部４は変圧器本体部５に対し歩道側に配される。
また、放圧経路１１ａ、１１ｂは内部短絡時の異常高圧が歩道側に被害を出さないために車道側に放圧するようになっている。すなわち、放圧経路１１ａでは、外箱１の強度的に弱い箇所９から車道側に放圧し、放圧経路１１ｂでは、ゴム製仕切板８ａが８ｂの状態となるように変形し、該変形部から換気窓６を通り車道側に放圧するようになっている。また、絶縁性遮蔽板１０は、内部短絡時に発生したアークを遮蔽し、変圧器本体部５がアークによって損傷しないようにしている。
【０００３】
【特許文献１】
特開平８−４５７４６号公報（段落番号０００７、０００９、図５）
【特許文献２】
特開平１１−２５１１５５号公報（段落番号０００９、００１４）
【０００４】
【発明が解決しようとする課題】
地上設置形変圧器装置においては、近年、内部機器類として樹脂製のものが多く使われるようになってきた。また、地上設置形変圧器装置は、歩道に設置される他、例えば集合住宅の敷地内等歩道以外の場所にも多く設置されるようになってきた。このため上記内部短絡が起きた場合には、樹脂の細かな破片が車道以外の外部生活環境にも放出され、人身被害の危険性も有り得る状況になってきている。また、絶縁性遮蔽板１０は高価であり、地上設置形変圧器装置のコスト低減を図る上での障害要因の１つとなっている。
本発明の課題点は、上記従来技術の状況に鑑み、地上設置形変圧器装置において、（１）内部短絡時にも、内部機器類の破片を外部に飛散させないようにして生活環境の安全性を確保できること、（２）絶縁性遮蔽板に替わる安価な手段で変圧器をアークによる損傷から保護できるようにすること、等である。
本発明の目的は、かかる課題点を解決できる技術の提供にある。
【０００５】
【課題を解決するための手段】
上記課題点を解決するために、本発明では、基本的に地上設置形変圧器装置において、保護カバー（該当実施例：符号１）の内側の内部短絡時に形成される放圧経路（該当実施例：符号１１ａ、１１ｂ）上に、複数の孔が形成された金属部材（該当実施例：符号１２）を設ける。これによって、内部短絡時における放圧に伴う内部機器類の破片を捕捉し保護カバー外への飛散を阻止する。また、保護カバーの内側において１次側高圧機器部（該当実施例：符号３）と変圧器本体部（該当実施例：符号５）との間に、接地した導電材としての金属部材（該当実施例：符号１２）を設ける。これによって、内部短絡時におけるアークを消弧し、該アークが変圧器本体部に及ばないようにする。具体的には、地上設置形変圧器装置として、（１）保護カバー（該当実施例：符号１）の内側の、内部短絡時に形成される放圧経路（該当実施例：符号１１ａ、１１ｂ）上に、複数の孔が形成された金属部材（該当実施例：符号１２）を該放圧経路に交差させて備え、該金属部材により、内部短絡時の放圧に伴う内部機器類破片を捕捉し、保護カバー外部への飛散を阻止可能にした構成とする。（２）保護カバー（該当実施例：符号１）の内側において１次側高圧機器部（該当実施例：符号３）と変圧器本体部（該当実施例：符号５）との間に、接地した金属部材（該当実施例：符号１２）を備え、該金属部材により、内部短絡時のアークを消弧可能とした構成とする。（３）保護カバー（該当実施例：符号１）の内側において内部短絡時に形成される放圧経路（該当実施例：符号１１ａ、１１ｂ）上の第１の領域と、１次側高圧機器部（該当実施例：符号３）と変圧器本体部（該当実施例：符号５）との間の第２の領域とに、少なくとも上記第１の領域に対応する部分に複数の孔が形成されかつ接地された構成の金属部材（該当実施例：符号１２）を備え、該金属部材により、内部短絡時の放圧に伴う内部機器類破片を捕捉して保護カバー外部へ飛散するのを阻止するとともに、アークの消弧も可能にした構成とする。（４）上記（１）から（３）のいずれかにおいて、上記金属部材を金網状の構成とする。
【０００６】
【発明の実施の形態】
以下、本発明の実施例につき、図面を用いて説明する。
図１〜図３は、本発明の実施例としての地上設置形変圧器装置の内部構成例を示す。図１は上面図、図２は図１の構成のＡ−Ａ’断面図、図３は図１の構成のＢ−Ｂ’断面図である。
本実施例は、保護カバー内の内部短絡時の放圧経路上の領域と、１次側高圧機器部と変圧器本体部との間の領域とに、金属部材として金網を接地状態で設けた場合の例である。
図１、図２及び図３において、１は保護カバーとしての外箱、２は開閉用の外箱の扉、３は変圧器の１次側高圧開閉スイッチ等が収納された１次側高圧機器部、４は変圧器の２次側配線端子等が収納された２次側低圧機器部、５は鉄心と励磁用コイルを備えて成る変圧器本体部、６は換気用の換気窓、７は変圧本体部５と１次側高圧機器部３及び２次側低圧機器部４との間を仕切る仕切板、８ａは変圧本体部５と１次側高圧機器部３との間に設けたゴム製の仕切板（ゴム製仕切板）、８ｂはゴム製仕切板８ａが変形状態にあるときのゴム製仕切板、９は外箱１における放圧部としての強度的に弱い箇所、１１ａ、１１ｂは内部短絡によって発生する異常高圧を放圧する放圧経路で、１１ａは外箱１の強度的に弱い箇所９に至りさらに外部に放出する放圧経路、１１ｂは換気窓６に至る放圧経路、１２は、金属部材としての金網、１３は少なくとも変圧器本体部５、１次側高圧機器部３、２次側低圧機器部４及び外箱１を支持するベース部材である。本実施例では、金網１２は上記放圧経路１１ａ上の領域（第１の領域）と上記放圧経路１１ｂ上の領域（第１の領域）と１次側高圧機器部３と変圧器本体部５との間の領域（第２の領域）とに連続状に設けられ、かつ接地状態とされる。該金網１２は、上記第１の領域に配される部分では、内部短絡時の放圧に伴う内部機器類の破片を放圧経路上で捕捉して外箱１の外部への飛散を阻止し、上記第２の領域に配される部分では内部短絡時に発生するアークを消弧する。本実施例では、金網１２は、上記第１の領域に配される部分と第２の領域に配される部分とが連続状につながった構成とされるが、それぞれが別個の構成とされていてもよい。仕切板７やゴム製仕切板８ａは、１次側高圧機器部３や２次側低圧機器部４に対して換気窓６からの雨水や塵埃が侵入するのを防ぐ。本地上設置形変圧器装置が歩道に設置される場合は、変圧器本体部５に対し２次側低圧機器部４と扉２を歩道側にして設置される。放圧経路１１ａは、内部短絡時に外箱１内に発生する圧力を外箱１の強度的に弱い箇所９から車道側に放圧し、放圧経路１１ｂは、ゴム製仕切板８ａが８ｂの状態へと変形することで、外箱１内の圧力を該変形部から換気窓６を通して車道側に放圧する。金網１２は、上記放圧時に内部機器類の破片を捕捉して外箱１外への飛散を防ぐ。
【０００７】
上記実施例によれば、地上設置形変圧器装置において、内部短絡時においても上記金網１２という安価かつ簡便な手段により、内部機器類の破片の外箱１の外部への飛散を防ぎ、通行車両や通行人などに対する安全性を確保することができる。また、変圧器本体部５をアークによる損傷から保護し、それに伴う漏油、さらには該漏油による火災等の被害を未然に防ぐことができる。
【０００８】
なお、上記実施例では、金属部材として金網１２を用いる構成としたが、本発明はこれに限定されず、該金属部材としては、複数の孔が形成された金属材であればよく、例えば、複数の孔がプレス加工等により形成された金属板などであってもよいし、他の構成のものであってもよい。また、上記実施例では、金属部材としての金網１２は、上記第１の領域に配される部分と上記第２の領域に配される部分とを有する構成としたが、該第２の領域に配される部分は、金網等複数の孔を有する構成でなくてもよい。さらに、上記第１の領域に配される部分としては、上記放圧経路１１ａ上の領域に配される部分のみであってもよいし、反対に、上記放圧経路１１ｂ上の領域に配される部分のみであってもよい。
【０００９】
【発明の効果】
本発明によれば、地上設置形変圧器装置において、安価な手段により、内部短絡時の安全性を確保することができる。また、安価な手段により、変圧器本体部をアークから保護し、それに伴う漏油、さらには該漏油による火災等の被害を未然に防ぐことができる。
【図面の簡単な説明】
【図１】本発明の地上設置形変圧器装置の実施例を示す上面図である。
【図２】図１の構成のＡ−Ａ’断面図である。
【図３】図１の構成のＢ−Ｂ’断面図である。
【図４】従来の地上設置形変圧器装置の上面構造例を示す図である。
【図５】図４の構成のＡ−Ａ’断面図である。
【図６】図４の構成のＢ−Ｂ’断面図である。
【符号の説明】
１…外箱、　２…扉、　３…１次側高圧機器部、　４…２次側低圧機器部、　５…変圧器本体部、　６…換気窓、　７…仕切板、　８ａ、８ｂ…ゴム製仕切板、　９…外箱の強度的に弱い箇所、　１０…絶縁性遮蔽板、　１１ａ、１１ｂ…放圧経路、　１２…金網、　１３…ベース部材。
【図１】
2004103722.tif 000003
【図２】
2004103722.tif 000004
【図３】
2004103722.tif 000005
【図４】
2004103722.tif 000006
【図５】
2004103722.tif 000007
【図６】
2004103722.tif 000008